(57)【要約】      （修正有）【課題】原子炉配管の冷却水循環路、その他の有害物が含まれた水の循環路あるいは、循環水が放射能に汚染された水の場合において、水を止めることなく、水漏れ部を迅速に緊急修理できかつ、放射性物質が含まれていても漏れた水の放射性物質を吸着、固定化、不活性化することができる水漏れ防止構造を提供する。【解決方法】水漏れする配管１のフランジ継手部２の底部に、吸水性高分子を内蔵する吸水シート３をあてがって該フランジ継手部を包み込み、該包み込んだ吸水シート外周を防水シート４で包覆して、密封する。すなわち、漏水を吸水することで膨張する該吸水シートの膨張力で該吸水シートをフランジ継手部に押え付けて密着させる。また、吸水シートに放射性物質吸着剤、キレート剤を充填しても良い。【選択図】図１
0003170791.tif 000002
【実用新案登録請求の範囲】
【請求項１】
水漏れする配管のフランジ継手部底部に、吸水性高分子を内蔵する吸水シートをあてがって該フランジ継手部を包み込み、該包み込んだ吸水シート外周を防水シートで包覆して、密封してなる構造であって、漏水を吸水することで膨張する該吸水シートの膨張力で該吸水シートをフランジ継手部に押え付けて密着させることを特徴とする配管の水漏れ防止構造。
【請求項２】
前記吸水シートの周囲に設けた複数の孔に紐を通して、該紐で該吸水シートの両端を結んで締結することで、該吸水シートをフランジ継手部に固定することを特徴とする請求項１に記載の配管の水漏れ防止構造。
【請求項３】
前記吸水シートが、透水性カバーの中に吸水性高分子からなる吸水体が収納されてなる構造である請求項１〜２のいずれかに記載の配管の水漏れ防止構造。
【請求項４】
前記吸水シートが、透水性カバーの中に吸水体が収納されてなる構造であって、かつ該吸水体が吸水性高分子と放射性物質吸着剤とキレート剤の複合体で形成されてなることを特徴とする請求項１〜２のいずれかに記載の配管の水漏れ防止構造。
【請求項５】
前記複合体の構造が、吸水性高分子とキレート剤と放射性物質吸着剤を混合した構造であって、該複合体表層部のキレート剤と放射性物質吸着剤の混合比率をより高くしてなることを特徴とする請求項４に記載の配管の水漏れ防止構造。
【請求項６】
前記吸水シートが、透水性カバーの中に吸水性高分子からなる吸水体が収納されてなる構造であって、かつ該透水性カバーを袋状に形成して、該袋の中に放射性物質吸着剤とキレート剤を充填してなることを特徴とする請求項１〜２のいずれかに記載の配管の水漏れ防止構造。
【請求項７】
前記袋を二重の袋となして、各袋に放射性物質吸着剤とキレート剤を別々に充填してなることを特徴とする請求項６に記載の配管の水漏れ防止構造。
【考案の詳細な説明】
【技術分野】
【０００１】
本考案は配管のフランジ継手部の水漏れ防止構造にかかわり、更に詳しくは、地震や水害等の突発事故で配管のフランジ継手部に水漏れが発生した時の応急的な水漏れ防止構造に関するものである。
【背景技術】
【０００２】
流体を流す配管の継手構造として簡便で水封性に優れたフランジ継手が多用されているが、災害時、振動によって継手部が緩んで隙間が発生して水漏れ事故が起こることがある。
【０００３】
このような水漏れ事故の場合、通常は、一旦水を止めて水漏れしている箇所を修理するのが常であるが、水を止めることが許されない場合もある。たとえば原子炉事故等で原子炉配管の冷却水循環路の場合、あるいはその他の有害物が含まれた水の循環路の場合、また循環水が放射能に汚染された水の場合、水を流したまま、緊急的に水漏れ部の補修を求められる場合がある。
【０００４】
水を流したまま、水漏れ部の補修ができる構造として特許文献１（特開平７−２８０１６２９）がある。
この発明は、水漏れする管継手部の外側を補修用被覆部材で覆い、管と補修用被覆部材との間はパッキンで水漏れを止め、被覆部材と既存の管継手は接着剤で固着し、左右一対の被覆部材同士のフランジ接合面は接着剤により接着して密封することで被覆部材の外には水を漏らさないようにするものであるが、左右一対の補修資材を日常的に準備しておかないと緊急時の補修法としては採用しがたい問題点がある。
【先行技術文献】
【特許文献】
【０００５】
【特許文献１】特開平７−２８０１６２９
【考案の概要】
【考案が解決しようとする課題】
【０００６】
本考案は、かかる問題に鑑みてなされたもので、その第一の目的は、放射性物質等の有害物が含まれた水の配管継手部に水漏れが発生した時、水を止めることなく、配管継手部の形状に臨機応変、柔軟に対応して水漏れ部を迅速に緊急修理できる新規な水漏れ防止構造を提供することである。また第二の目的は、放射性物質が含まれていても漏れた水の放射性物質を吸着、固定化、不活性化することができる新規な水漏れ防止構造を提供することである。
【課題を解決するための手段】
【０００７】
本考案者は、前記課題に関して鋭意研究を行った結果、下記の知見を得た。
即ち、
水漏れする配管のフランジ継手部に吸水性高分子を内蔵する吸水シートをあてがってフランジ継手部を包み込むと共に、この吸水シートの外周を防水シートで包覆、密封して漏水が外に漏れないような構造にすると、漏水発生時、吸水シートが漏水を吸水、膨張して、この吸水シートの膨張力で、この吸水シートをフランジ継手部に押え付けて密着させて水漏れを防ぐことが出来ることを見出した。
【０００８】
また前記吸水シートの周囲に紐を通す孔を設けて、この吸水シートを水漏れする配管のフランジ継手部底部にあてがって上に向かって包む込み、そしてこの孔に紐を通して、この紐で該吸水シートの両端を結んで締結することで、この吸水シートを素早くフランジ面に固定することができ、漏水が発生した時の緊急処置として利用できることを見出した。
【０００９】
そして前記吸水シートとしては、透水性カバーの中に吸水性高分子からなる吸水体が収納されてなる構造が好ましいこと、そして漏水中に放射性物質が含まれているとき、前記吸水シートは、透水性カバーの中に吸水体が収納された構造にし、そしてこの吸水体を吸水性高分子と放射性物質吸着剤とキレート剤の複合体で形成することで、水中の放射性物質（放射性懸濁粒子と放射性金属イオン）を放射性物質吸着剤に吸着させて固定化することができること、そして放射性金属イオンはキレート剤と反応してキレート化合物に変化することで放射能毒性を不活性化させることができることを見出した。
【００１０】
そしてこの際、放射性物質吸着剤に吸着される放射性物質の量をより多くするためには、放射能汚染水が吸水性高分子に吸水される前に放射性物質吸着剤の層を通過させることが必要である。また吸水性高分子に吸水される前にキレート剤と反応させる必要である。
そのために有効な構造は、請求項５に記載の構造である。
すなわち吸水性高分子と放射性物質吸着剤とキレート剤の複合体の構造を、吸水性高分子とキレート剤と放射性物質吸着剤を混合した構造にし、その際、複合体表層部のキレート剤と放射性物質吸着剤の混合比率をより高くすることである。
かかる構造によって、吸水シートに浸入した放射能汚染水は放射性物質吸着剤とキレート剤の高密度層で放射性物質を優先的に吸着され、あるいはキレート剤と優先的に反応させられるために固定化と不活性化がより効率的になされる。
【００１１】
また更に請求項６に記載の構造がより有効である。
すなわち透水性カバーを袋状に形成して、この袋の中に放射性物質吸着剤とキレート剤を充填する構造である。
【００１２】
放射性物質吸着剤とキレート剤を透水性カバーの袋の中に充填することで、吸水性高分子層に到達する前に、放射能汚染水の放射性物質を吸着固定化および錯体化して不活性化することが可能になる。
【００１３】
放射性物質吸着剤とキレート剤は混合して袋に充填しても良いが、袋を二重の構造にして、各袋に放射性物質吸着剤とキレート剤を別々に充填するほうがより好ましい。そして表層に近い袋には放射性物質吸着剤を充填する方が好ましい。
このような構造にすることで、吸水層に浸入した放射能汚染水は、先ず表層に近い袋に収納された放射性物質吸着剤層で放射性懸濁物質と放射性金属イオンが吸着固定化され、次にキレート剤の層を通過するときに、放射性金属イオンが錯体化されて不活性化される。
【００１４】
請求項４の構造では、吸水性高分子が吸水膨張するに従って、吸水体の吸水断面に占める放射性物質吸着剤とキレート剤の面積率が疎になり、放射性物質の吸着率および錯体化率が低下してくるが、透水性カバーの袋に収納することで、吸水性高分子が吸水膨張しても放射性物質の吸着率および錯体化率が低下することがない利点がある。
【００１５】
なお本考案の放射性物質吸着剤には、珪藻土、ゼオライト、活性炭、活性白土，活性アルミナ、シリカゲル，モレキュラシーブ等の無機質系多孔質材料のほか、その他有機質の吸着剤を使用することができる。
【００１６】
本考案のキレート剤としては通常のキレート剤を使用できるが、特にエデト酸、ペンテト酸カルシウム三ナトリウム、フミン酸、フルボ酸、ＮＴＡ、ＥＤＴＡ等が最も好適である。
【００１７】
本考案は以上の知見を元になされたものである。
【考案の効果】
【００１８】
１  放射性物質等の有害物が含まれた水の配管継手部に水漏れが発生した時、水を止めることなく、配管継手部の形状に臨機応変、柔軟に対応して水漏れ部を迅速に緊急修理できる。
２  漏水に放射性物質が含まれていても、漏れた水の放射性物質を吸着、固定化、不活性化することができる。
３  吸水された水は、ゲル化されており、圧力がかかっても水が染み出ることは無く、漏水部の隙間をパッキンのように埋めて密封する効果がある。
【考案を実施するための形態】
【００１９】
図１は本考案の水漏れ防止構造の説明図である。
図２〜４は、本考案で使用する吸水シートの実施例の構造を説明する図である。
図５〜８は、図２〜図４の構造の吸水シートを配管フランジに取り付けた状況を説明する図である。
図９〜１０は、透水性カバーの実施例の構造を説明する図である。
【００２０】
図１で、１は配管、２は配管のフランジ継手部である。
３は吸水シート、４は防水シート、５は透水性カバー、６は吸水体である。
【００２１】
本願水漏れ防止構造は、水漏れする配管１のフランジ継手部２の底部に吸水体６を内蔵する吸水シートをあてがってフランジ継手部２を包み込み、そして包み込んだ吸水シート外周を防水シートで包覆して密封した構造からなっている。
吸水シート３は、袋状の透水性カバー５の中に吸水体６を収納した構造からなり、吸水体６の中には、吸水性高分子が内蔵され、フランジ継手部から漏れた水は、透水性カバー５を通って吸水体６に達して吸水される。
漏水を吸水することで吸水シートは膨張するが、吸水シートの外表面は防水シートで包覆されて外側への膨張は抑制されているので、膨張力は吸水シートをフランジ継手部に押え付ける力に転化され、吸水シートはフランジ継手部２の外周表面に密着させられ、この結果、漏水部が密封されて、水漏れが止まる。
【００２２】
吸水性高分子に吸水された水はゲル化し、外から加圧しても水に戻ることはなく、一種のゴムパッキンのような状態になって水漏れ部分に密着する。
【００２３】
吸水シート３の周囲に紐を通す複数の孔を設けておき、孔に紐を通して紐で吸水シートの両端を結んで締結することで、緊急時、吸水シート３をフランジ継手部にすばやく固定することができる。
【００２４】
紐を通す孔は、図２に示す構造、図３に示す構造が好ましい。
【００２５】
図２は、透水性カバー５の側面周囲に図に示すようなヒサシ１４を取り付け、ヒサシに孔を空けたものである。
【００２６】
図３は透水性カバー５の片面の端に図のようなタブ８を貼り付け、タブに孔を空けたものである。
タブ８はシート状で、一部が透水性カバー５に貼り付けられ、残りはシートのまま浮いた状態で透水性カバー５に固定されている。
紐を通す孔は、シートのまま浮いた状態の部分に形成されている。
【００２７】
図５は、図２の構造の吸水シートをフランジに取り付けたときの説明図、図６は、図３の構造の吸水シートをフランジに取り付けたときの説明図である。
図２の構造の吸水シートではヒサシ１４の部分に吸水体が内蔵されていないので、吸水シートでフランジ面を包み込んだ時、ヒサシ１４の部分に対向するフランジ面では漏水を直接吸水することができず、漏水はフランジ面を下側に流れ落ちて、吸水体がフランジ面に接する部分で吸水されることになる。
一方、図３の構造では、吸水シートでフランジ面を包み込んだ時、フランジ面全周に吸水体が接するので、全周で漏水を直接吸水することができる。
図２、図３の構造は、状況に応じて適宜使い分ければよい。又必要に応じて図４の構造のような穴のないものでも適宜使用でき、この場合は、図７、図８に示すようにフランジ１０の外周に密接させ、防水シートで外側を包んで固定すればよい。
これらは、水漏れの箇所、状況に応じて適宜使い分ければよい。
【００２８】
前記したように、吸水シートは、透水性カバーの中に吸水体６を収納し、吸水体には、吸水性高分子が内蔵されている。
漏水に放射性物質が含まれている時は、吸水体は吸水性高分子と放射性物質吸着剤とキレート剤の複合体で形成することが好ましい。
このとき、複合体表層部のキレート剤と放射性物質吸着剤の混合比率をより高くすることが好ましい。つまりキレート剤と放射性物質吸着剤が表層部に密に充填され、表層から内部に入るに従って吸水性高分子の比率が高くなり、ついには吸水性高分子が１００％を占める構造が好ましい。上下面、両面がこの構造になる。必要に応じて側面にもこの構造が適用される。
【００２９】
透水性カバー５を通過した放射性物質を含む水は、キレート剤と放射性物質吸着剤密に充填された層を通過する。この際、放射性物質が放射性物質吸着剤に吸着固定され、放射性金属イオンはキレート剤と反応して錯イオン化してキレート化合物となって不活性化される。
放射性物質吸着剤、キレート剤粒子の密充填層を通過して放射性物質の濃度が低くなった水が吸水性高分子に吸水されることとなる。
【００３０】
なおキレート剤と放射性物質吸着剤と吸水性高分子を一緒に混ぜた場合、吸水に伴って吸水性高分子が体積膨張し、キレート剤と放射性物質吸着剤の充填密度が疎になる。
表層に密充填しても体積膨張で疎になり、吸着効率が落ちてくる欠点がある。
【００３１】
かかる問題に対しては、透水性カバーを袋状に形成して、袋の中に放射性物質吸着剤とキレート剤を充填すると吸水体の膨張に伴う吸着効率の低下の欠点を防止できる。
【００３２】
又袋は二重の袋にして、各袋に放射性物質吸着剤とキレート剤を別々に充填する方が更に好ましい。
【００３３】
図９、図１０は、透水カバーの裏側に透水性の袋を形成して、袋の中にキレート剤とゼオライト粉末を充填した構造である。
図９は、放射性物質吸着剤とキレート剤を混ぜて袋に充填した構造、図１０は、二重構造の袋にして、それぞれの袋に放射性物質吸着剤とキレート剤を分けて充填したものである。
【００３４】
図９において、吸水シート３に浸入した放射能汚染水は全て、袋の中に充填された放射性物質吸着剤１２とキレート剤１３の混合層を通過するときに放射性物質を吸着される、あるいはキレート剤と反応して錯体化され、混合層を通り抜けた水が吸水性高分子層１１に到達して吸水されることになる。従って放射性物質の吸着除去率および錯体化率は図４の構造よりも改善される。
【００３５】
図１０は、図９の袋を更に二重にして各袋に放射性物質吸着剤とキレート剤を別々に充填したものである。
放射性物質吸着剤とキレート剤は放射性物質に対する作用効果はそれぞれ異なり、両者を混合すると、キレート剤と放射性物質吸着剤の作用効果が重複して効率が低下する場合も起こるので、両者の役割が重複することがないように分離して収納したものである。１２は放射性物質吸着剤、１３はキレート剤層であり、表層に近い袋に放射性物質吸着剤を収納したものである。
【００３６】
吸水体６の中の吸水性高分子は、カルボキシル基、水酸基、エーテル基、アミド基等の親水性の官能基を有する高分子であり、澱粉にアクリル酸塩をグラフト重合させた澱粉系、カルボキシセルロースにアクリル酸塩をグラフト重合させたセルロース系、アクリル酸・ビニルアルコール共重合体、アクリル酸重合体、アクリル酸・アクリルアミド重合体、ポリエチレンオキサイド変性物等の合成系のものが適宜使用でき、シート、顆粒、繊維、あるいはペレット状に加工して使用される。
【００３７】
吸水体６の中の放射性物質吸着剤は、無機質では、水素型、ナトリウム型、カリウム型、カルシウム型、マグネシウム型、アルミニウム型、鉄型、銀型、銅型あるいはこれら二つ以上を組合せたものを粒子状にして使用し、粒度は小さいものの方が、吸着性能が大きいのでより細かい粒度、概ね３０μｍ以下の粒度が好ましい。
【００３８】
透水性カバー５は、それ自体が透水性である不織布や織布等の他に、ビニール等の非透水性シートに多数の小孔を設けて通水できるようにした構造で使用される。
不織布は、ポリプロピレン、ポリエステル、ポリオレフィン、ポリビニルアルコール、アクリル、ポリアミド等の繊維をスパンボンド法、水流交絡法等により製造したものを使用される。
織布は、ビスコース法レーヨン等の再生繊維、酢酸セルロース繊維等の半合成繊維、ポリアミド、ポリエステル、アクリル等の合成繊維を素材として製造したものを使用される。
なお透水性カバーの袋も透水性カバーと同じ透水性材料で形成される。
【００３９】
【産業上の利用可能性】
【００４０】
１  放射性物質等の有害物が含まれた水の配管継手部に水漏れが発生した時、水を止めることなく、配管継手部の形状に臨機応変、柔軟に対応して水漏れ部を迅速に緊急修理できる。
２  漏水に放射性物質が含まれていても、漏れた水の放射性物質を吸着、固定化、不活性化することができる。
３  吸水された水は、ゲル化されており、圧力がかかっても水が染み出ることは無く、漏水部の隙間をパッキンのように埋めて密封する効果がある。
原子力発電所の事故等、原子力関連部署の事故処理に広く使用されることが期待できる。
【図面の簡単な説明】
【００４１】
【図１】本考案の水漏れ防止構造の説明図である。
【図２】本考案で使用する吸水シートの実施例の構造を説明する図である。
【図３】本考案で使用する吸水シートの実施例の構造を説明する図である。
【図４】本考案で使用する吸水シートの実施例の構造を説明する図である。
【図５】図２の構造の吸水シートを配管フランジに取り付けた状況を説明する図である。
【図６】図３の構造の吸水シートを配管フランジに取り付けた状況を説明する図である。
【図７】図４の構造の吸水シートを配管フランジに取り付けた状況を説明する図である。
【図８】図４の構造の吸水シートを配管フランジに取り付けた状況を説明する図である。
【図９】透水性カバーの実施例の構造を説明する図である。
【図１０】透水性カバーの実施例の構造を説明する図である。
【符号の説明】
【００４２】
１  配管                ２  フランジ継手部
３  吸水シート          ４  防水シート
５  透水性カバー        ６  吸水体
７  孔                  ８  タブ
９  紐                  １０  フランジ
１１  吸水性高分子      １２  放射性物質吸着剤
１３  キレート剤        １４  ヒサシ
【図１】
0003170791.tif 000003
【図２】
0003170791.tif 000004
【図３】
0003170791.tif 000005
【図４】
0003170791.tif 000006
【図５】
0003170791.tif 000007
【図６】
0003170791.tif 000008
【図７】
0003170791.tif 000009
【図８】
0003170791.tif 000010
【図９】
0003170791.tif 000011
【図１０】
0003170791.tif 000012